(57)【要約】【課題】押し釦による押圧部、ＬＥＤ（発光素子）及びタクトスイッチの位置関係を工夫することにより、押し釦の表示部に影を生じさせることなく、押し釦のいずれの位置を押してもほぼ同じ押圧力でタクトスイッチをＯＮする。【解決手段】中央に位置するタクトスイッチ３１〜３６の真上に位置する補助枠２１の押圧部２３ａ〜２３ｆを介してタクトスイッチ３１〜３６をＯＮする。押圧部２３ａ〜２３ｆは弾性アーム部２２ａ〜２２ｆを介して支持する。タクトスイッチ３１〜３６がＯＮされると、ＬＥＤ４１Ａ，４１Ｂ〜４６Ａ，４６Ｂが点灯し、押し釦１１〜１６の表示部を照明する。このとき各押し釦１１〜１６において、各押し釦１１〜１６の表示部と前記各押圧部２３ａ〜２３ｆとの間の間隔が、ＬＥＤ４１Ａ，４１Ｂ〜４６Ａ，４６Ｂからの光が各押し釦１１〜１６の表示部全域の照明する大きさとされている。【選択図】  図１０
2006079940.tif 000002
【特許請求の範囲】
【請求項１】
機器ケーシングに、透光可能な材料で成形される押し釦が配置され、前記機器ケーシング内に前記押し釦のスライド方向に直交する方向に広がる配線基板が設けられ、前記配線基板上に前記押し釦の表示部に対向してタクトスイッチが設けられ、前記配線基板上に、前記押し釦の表示部を照明する発光素子が設けられている電子機器における押し釦装置において、
前記機器ケーシングに設けられ前記押し釦をスライド可能に支持する支持スリーブと、前記押し釦と前記配線基板との間に設けられ前記支持スリーブ内に前記押し釦を弾性的に支持する押圧部とを備える構成とされ、
前記押し釦において、前記押し釦の表示部と前記押圧部との間の間隔は、前記発光素子からの直接光で前記押し釦の表示部全域を照明する大きさとされていることを特徴とする電子機器における押し釦装置。
【請求項２】
機器ケーシングに、透光可能な材料で成形される押し釦が配置され、前記機器ケーシング内に前記押し釦のスライド方向に直交する方向に広がる配線基板が設けられ、前記配線基板上に前記押し釦の表示部に対向してタクトスイッチが設けられ、前記配線基板上に、前記押し釦の表示部を照明する発光素子が設けられている電子機器における押し釦装置において、
前記機器ケーシングに設けられ前記押し釦をスライド可能に支持する支持スリーブと、前記押し釦と前記配線基板との間に設けられ前記支持スリーブ内に前記押し釦を弾性的に支持する押圧部とを備える構成とされ、
前記発光素子が、前記押し釦の表示部に照明を受け持つ領域を有し、前記押し釦において、前記押圧部が、前記発光素子と前記発光素子が照明を受け持つ前記押し釦の表示部の領域の周縁とをつなぐことで形成される空間の外部に配置されていることを特徴とする電子機器における押し釦装置。
【請求項３】
前記発光素子は、前記押し釦の表示部に対向して複数個設けられている請求項１又は２記載の電子機器における押し釦装置。
【請求項４】
前記支持スリーブに対し、前記機器ケーシングの内側から取り付けられる補助枠を備え、
前記補助枠は、前記機器ケーシングの支持スリーブの外側に位置する外枠と、前記支持スリーブの間に位置する仕切壁部とを有し、この外枠あるいは仕切壁部に前記押し釦に対応して弾性アーム部が連接され、
この弾性アーム部に対し前記押圧部が前記タクトスイッチに対向する位置に設けられていることを特徴とする請求項１〜３のいずれかに記載の電子機器における押し釦装置。
【請求項５】
前記押し釦は、並んで複数個設けられている請求項４記載の電子機器における押し釦装置。
【請求項６】
前記弾性アーム部は、前記配線基板側に、前記押圧部が押し釦側にそれぞれ位置し、
前記押し釦には、前記押圧部が係脱可能に係合する係合凹部が形成されていることを特徴とする請求項４又は５記載の電子機器における押し釦装置。
【発明の詳細な説明】
【技術分野】
【０００１】
本発明は、インターホーンの親機などの電子機器における押し釦装置に関するものである。
【背景技術】
【０００２】
従来、電子機器における押し釦装置においては、図１２及び図１３に示すように、押し釦１０１Ａ，１０１Ｂに対向して位置するようにタクトスイッチ１０２Ａ，１０２Ｂが配線基板１０３Ａ，１０３Ｂ上に設けられている。そして、押し釦１０１Ａ，１０１Ｂの中央を押すことで押圧部１０１Ａａ，１０１Ｂａにてタクトスイッチ１０２Ａ，１０２Ｂが押されてＯＮされ、電子機器が所定の動作を行うようになっている。
【０００３】
また、そのような押し釦装置において、押し釦を押したときに、スイッチがＯＮされ、電子機器が所定の動作が行われるだけでなく、使用者にスイッチがＯＮされたことを知らせるために押し釦の、機能などを表示した表示部をＬＥＤで照明するようにしたものはすでに知られている（例えば特許文献１，２参照）。
【０００４】
そのような装置では、配線基板上の、押し釦に対向する位置にＬＥＤが設けられ、そのＬＥＤを点灯させてそのＬＥＤの発光にて押し釦の表示部を表示させるスイッチは、押し釦に対して偏倚して設けられている。これは、押し釦の表示部とＬＥＤとの間に遮光物を介在させることなく、ＬＥＤによる照明で、押し釦の表示部全体を、影が生じないように照明するためである。
【０００５】
そのようにＬＥＤを点灯させるためのスイッチが押し釦に対して偏倚して設けられていると、使用者が、押し釦の、スイッチが設けられている側の端部を押す場合と、押し釦の中央部分を押す場合と、押し釦の、スイッチが設けられていない側の端部を押す場合とで、タクトスイッチをＯＮさせるために必要とされる押圧力が異なる。そのため、押し釦を押すときに使用者の受ける感触が異なることになり、使用者が違和感を感じるおそれがある。
【０００６】
そこで、使用者が押し釦のいずれの部分を押すかにかかわらず、押し釦を押してタクトスイッチをＯＮさせる際に使用者が受ける感触をほぼ一定にするには、図１３に示すように、タクトスイッチを押圧部を介して押し釦で押す構成とすることで、タクトスイッチを真上から押圧部にて押圧してＯＮする構成とすることが考えられる。
【特許文献１】特開平０６−１７１３４５号公報（段落００１０，００１１及び図２参照）
【特許文献２】特開平０９−１３９１３６号公報（段落００３３〜００３５及び図５参照）
【発明の開示】
【発明が解決しようとする課題】
【０００７】
そのように、押圧部を介してタクトスイッチを真上から押圧する構成とすると、タクトスイッチがＯＮしてＬＥＤが点灯した際に、ＬＥＤからの光によってタクトスイッチの真上に位置する押圧部の全部あるいは一部が押し釦の表示部を通じて、影として見えることになり、照明時の見栄えが悪くなる。
【０００８】
本発明は、押し釦による押圧部、ＬＥＤ（発光素子）及びタクトスイッチの位置関係を工夫することにより、押し釦の表示部に影を生じさせることなく、押し釦のいずれの位置を押してもほぼ同じ押圧力でタクトスイッチをＯＮすることができる電子機器における押し釦装置を提供することを目的とする。
【課題を解決するための手段】
【０００９】
請求項１の発明は、機器ケーシングに、透光可能な材料で成形される押し釦が配置され、前記機器ケーシング内に前記押し釦のスライド方向に直交する方向に広がる配線基板が設けられ、前記配線基板上に前記押し釦の表示部に対向してタクトスイッチが設けられ、前記配線基板上に、前記押し釦の表示部を照明する発光素子が設けられている電子機器における押し釦装置において、前記機器ケーシングに設けられ前記押し釦をスライド可能に支持する支持スリーブと、前記押し釦と前記配線基板との間に設けられ前記支持スリーブ内に前記押し釦を弾性的に支持する押圧部とを備える構成とされ、前記押し釦において、前記押し釦の表示部と前記押圧部との間の間隔は、前記発光素子からの直接光で前記押し釦の表示部全域を照明する大きさとされていることを特徴とする。ここで、「押し釦の表示部に対向して設けられるタクトスイッチ」とは、押し釦の表示部全体を基板上に垂直投影した場合に、その投影した影の内部にタクトスイッチが位置していることを意味する。
【００１０】
このようにすれば、使用者が押し釦を押すことで、押し釦は支持スリーブに案内され、押圧部を介してタクトスイッチがＯＮ状態とされる。また、発光素子の点灯による照明の際、前記押し釦において、前記押し釦の表示部と前記押圧部との間の間隔が、前記発光素子からの光が前記押し釦の表示部全域の照明する大きさとされているので、押圧部が、押し釦の表示部を照明しようとする発光素子からの光を遮光しない位置関係になる。
【００１１】
つまり、発光素子が単数の場合は、押し釦の表示部全域が、押圧部の上を通過する（発光素子からの）直接光によって照明され、発光素子が複数の場合は、押し釦の表示部のいずれの領域も、押圧部の上を通過する、いずれかの発光素子からの直接光によって照明される。
【００１２】
よって押し釦の表示部は、補助枠（押圧部）の影を生ずることなく、発光素子からの光によって照明される。
【００１３】
また、押し釦と配線基板との間に押圧部を設けているので、押し釦を押してタクトスイッチをＯＮさせる際に使用者が受ける感触をほぼ一定にすることが可能となる。
【００１４】
請求項２の発明は、機器ケーシングに、透光可能な材料で成形される押し釦が配置され、前記機器ケーシング内に前記押し釦のスライド方向に直交する方向に広がる配線基板が設けられ、前記配線基板上に前記押し釦の表示部に対向してタクトスイッチが設けられ、前記配線基板上に、前記押し釦の表示部を照明する発光素子が設けられている電子機器における押し釦装置において、前記機器ケーシングに設けられ前記押し釦をスライド可能に支持する支持スリーブと、前記押し釦と前記配線基板との間に設けられ前記支持スリーブ内に前記押し釦を弾性的に支持する押圧部とを備える構成とされ、前記発光素子が、前記押し釦の表示部に照明を受け持つ領域を有し、前記押し釦において、前記各押圧部が、前記発光素子と前記発光素子が照明を受け持つ前記押し釦の表示部の領域の周縁とをつなぐことで形成される空間の外部に配置されていることを特徴とする。
【００１５】
このようにすれば、発光素子が、前記押し釦の表示部に照明を受け持つ領域を有し、前記補助枠の押圧部が、前記発光素子と前記発光素子が照明を受け持つ前記押し釦の表示部の領域の周縁とをつなぐことで形成される空間の外部に配置されるので、押圧部が、押し釦の表示部に影となって現れることはない。
【００１６】
請求項３に記載のように、前記発光素子は、前記押し釦の表示部に対向して複数個設けられている構成とすることができる。
【００１７】
このようにすれば、押し釦の表示部に対向して、タクトスイッチだけでなく、発光素子も設けられているので、複数の押し釦を規則的に密集して配置するような場合も無理なくレイアウトすることができる。しかも、複数の発光素子で、１つの押し釦の表示部を表示するので、明るく照明することができる。
【００１８】
請求項４に記載のように、前記支持スリーブに対し、前記機器ケーシングの内側から取り付けられる補助枠を備え、前記補助枠は、前記機器ケーシングの支持スリーブの外側に位置する外枠と、前記支持スリーブの間に位置する仕切壁部とを有し、この外枠あるいは仕切壁部に前記押し釦に対応して弾性アーム部が連接され、この弾性アーム部に対し前記押圧部が前記タクトスイッチに対向する位置に設けられている構成とすることができる。
【００１９】
このようにすれば、機器ケーシングの支持スリーブと補助枠の仕切壁部とによって、隣り合う押し釦間の遮光が確実になされる。よって隣の押し釦についての照明で、表示部が照明されることはなくなる。また、弾性アーム部の弾性によって押圧部上の押し釦が付勢され、押し釦がガタつくことが抑制される。
【００２０】
この場合には、請求項５に記載のように、前記押し釦は、並んで複数個設けられている場合に特に有利である。その理由は、複数の押し釦を設ける場合に、機器ケーシングの支持スリーブと補助枠の仕切壁部とによって、隣り合う押し釦間の遮光が確実になされるからである。よって、複数の押し釦を規則的に密集して配置する場合も、隣り合う押し釦間の遮光性を確保してレイアウトすることができる。
【００２１】
請求項６に記載のように、前記弾性アーム部は、前記配線基板側に、前記押圧部が押し釦側にそれぞれ位置し、前記押し釦には、前記押圧部が係脱可能に係合する係合凹部が形成されている構成とすることができる。
【００２２】
このようにすれば、タクトスイッチと押圧部との間に必要なクリアランスを簡単に確保することができ、誤動作によりタクトスイッチが常時ＯＮの状態になるのが回避される。
【発明の効果】
【００２３】
以上のように、本発明は、発光素子による照明の際に、押し釦の表示部に対し押圧部が、発光素子からの光を遮光しない位置関係になるようにしているので、押し釦の表示部全域を、押圧部の影を生じさせることなく照明することができる。また、押し釦と配線基板との間に押圧部を設け、押し釦を押すことで押圧部を介してタクトスイッチをＯＮさせるので、押し釦を押す際に使用者が受ける感触を、押す位置にかかわりなくほぼ一定にすることが可能となる。
【発明を実施するための最良の形態】
【００２４】
以下、本発明の実施例を図面に沿って詳細に説明する。
【００２５】
図１は本発明に係る電子機器の一実施の形態であるインターホンの親機を示す斜視図、図２（ａ）は同親機の正面図、図２（ｂ）は同側面図、図２（ｃ）は同底面図、図３は同分解斜視図である。
【００２６】
図１〜図３に示すように、インターホーンの親機（電子機器）１は、機器ケーシング２が前側ケーシング３と後側ケーシング４とを結合して構成され、ケーシング内部に、前側ケーシング３にビス５１に取り付けられる配線基板５が収納されている。また、上部には、子機との通信のためのアンテナ６が設けられている。
【００２７】
前側ケーシング３の後側には、図４にも示すように、小さい６つの角筒状の支持スリーブ３ａ〜３ｆと大きい角筒状の支持スリーブ３ｇとが後側に延びるように一体に成形され、その支持スリーブ３ａ〜３ｇに押し釦１１〜１７がそれぞれスライド可能に嵌挿されている。なお、押し釦１１〜１７は、支持スリーブ３ａ〜３ｇに対し、前側ケーシング３の後側から嵌め込まれる。
【００２８】
上側の小さい６つの角筒状の支持スリーブ３ａ〜３ｆに小さい６つの押し釦１１〜１６が、下側の大きい角筒状の支持スリーブ３ｇに大きい押し釦１７がそれぞれスライド可能に設けられている。小さい６つの押し釦１１〜１６は、密集して規則的に上下２段に配置され、それらの配置領域とほぼ等しい幅にわたって１つの大きい押し釦１７が配置されている。なお、これらの押し釦１１〜１６，１７は、いずれも、乳白色の、透光可能な合成樹脂材料（例えば、光拡散剤が混合された乳白色のアクリル樹脂）にて成形されている。
【００２９】
小さい押し釦１１〜１６は同じ構造であるので、押し釦１１について説明する。押し釦１１は、図５（ａ）（ｂ）に示すように、矩形板状の表示部１１ａと、この表示部１１ａの周縁に一側が連接され表示部１１ａの直交する方向（内方）に延びる筒状部１１ｂ（支持スリーブ３ａの内周面と接触してスライドする部分）と、この筒状部１１ｂの他側のうち長さが長い側の辺側に設けられるフランジ部１１ｃ，１１ｄとを有する。押し釦１１を押す際に押し釦１１が揺れないように、フランジ部１１ｃ，１１ｄは長く形成され、また、一方のフランジ部１１ｃは、上下を反転しないように誤挿入防止のために中間部位に切り欠き部１１ｅが形成されている。また、押し釦１１の筒状部１１ｂに、後述する押圧部２３ａが係脱可能に係合する係合凹部１１ｇが形成されている。
【００３０】
一方、大きい押し釦１７も、押し釦１１と同様に、図６（ａ）（ｂ）に示すように、矩形板状の表示部１７ａと、この表示部１７ａの周縁に一側が連接され表示部１７ａの直交する方向（内方）に延びる筒状部１７ｂ（支持スリーブ３ｇの内周面と接触してスライドする部分）と、この筒状部１７ｂの他側のうち長さが長い側の辺側に設けられるフランジ部１７ｃ，１７ｄとを有する。また、後述するタクトスイッチに対応して、筒状部１７ｂの内周面に突条部１７ｅが形成されている。
【００３１】
なお、各支持スリーブ３ａ〜３ｆ，３ｇの後端部（先端部）には、押し釦１１〜１７のフランジ部に対応して、そのフランジ部が係脱可能に係合する切り欠き部（フランジ部１１ｃ，１１ｄが係脱可能に係合する切り欠き部３ａｂ，３ａｃのみ図示）が形成されている。
【００３２】
複数の支持スリーブ３ａ〜３ｆ，３ｇに対し前側ケーシング３の後側（内側）から補助枠２１が嵌め込まれて、取り付けられる。この補助枠２１は、支持スリーブ３ａ〜３ｆ，３ｇの外側に位置する外枠２１Ａと、支持スリーブ３ａ〜３ｆ，３ｇの間に位置するほぼ井桁状の仕切壁部２１Ｂとを有する。この補助枠２１を成形する材料は、後述する弾性アーム部２２ａ〜２２ｆが弾性（可撓性）を発揮できる合成樹脂であればよく、例えばＡＢＳが用いられる。
【００３３】
仕切壁部２１Ｂは、支持スリーブ３ａ〜３ｇの間に位置することになるので、支持スリーブ３ａ〜３ｇとの協働作用によって、各押し釦１１〜１７の表示部を照明する際にその照明光が漏れて、隣りに位置する押し釦の表示部を照明することがないように、遮光機能を発揮するようになっている。
【００３４】
また、支持スリーブ３ａ〜３ｇのうち支持スリーブ３ａ，３ｃの外側部及び支持スリーブ３ｇの左右両側部に係合突部３ａａ，３ｃａ，３ｇａが形成されている（図４及び図８参照）。一方、その係合突部３ａａ，３ｃａ，３ｇａに対応して外枠２１Ａの（内側面側の）コーナ部付近の４カ所に係合凹部２１Ａａが形成されている。そして、補助枠２１が支持スリーブ３ａ〜３ｇに対し嵌め込まれる際には、係合突部３ａａ，３ｃａ，３ｇａに係合凹部２１Ａａが係脱可能に係合し、前側ケーシング３の支持スリーブ３ａ〜３ｇ内に押し釦１１〜１７が保持され、不用意に外れない状態とされる。
【００３５】
これにより、図３に示すように、前側ケーシング３の後側（内側）から、前側ケーシング３の支持スリーブ３ａ〜３ｇ内に後側から押し釦１１〜１７をそれぞれ挿入し、それに続いて複数の支持スリーブ３ａ〜３ｇに対し補助枠２１を嵌め込み、それから、配線基板５を６本のビス５１にて前側ケーシング３に取り付けることで、補助枠２１が前側ケーシング３と配線基板５との間に挟持され、押し釦１１〜１７及び補助枠２１が外れないように組み付けられることになる。
【００３６】
外枠２１Ａあるいは仕切壁部２１Ｂに、図７（ａ）（ｂ）及び図８、図９に示すように、各押し釦１１〜１６と配線基板５との間に、１対の弾性アーム部２２ａ〜２２ｆを介してブリッジ状の押圧部２３ａ〜２３ｆが設けられている。そして、弾性アーム部２２ａ〜２２ｆが配線基板５側に、押圧部２３ａ〜２３ｆが押し釦１１〜１６側にそれぞれ位置している。そして、押し釦１１〜１６が係合する押圧部２３ａ〜２３ｆが、弾性アーム部２２ａ〜２２ｆの弾性（可撓性）より押し釦１１〜１６を通常時には上方に（前側ケーシング３側に）押し上げ、押し釦１１〜１６のフランジ部が支持スリーブ３ａ〜３ｆの端部に押し付けられることで、支持スリーブ３ａ〜３ｆ内に押し釦１１〜１６がガタなく保持される。
【００３７】
また、外枠２１Ａには、押し釦１７に対応するように、押し釦１７を弾性的に支持する４つの弾性アーム部２３ｇが設けられている。この弾性アーム部２３ｇの弾性によって押し釦１７を上方（前側ケーシング３側）に押し上げ、押し釦１７のフランジ部が支持スリーブ３ｇの端部に押し付けられることで、支持スリーブ３ｇ内に押し釦１７もガタなく保持される。
【００３８】
各押し釦１１〜１６（表示部）の中央部に対向して、配線基板５上にタクトスイッチ３１〜３６が設けられ、その両側（押し釦１１〜１６の長手方向に対応）にＬＥＤ４１Ａ，４１Ｂ，４２Ａ，４２Ｂ，４３Ａ，４３Ｂ，４４Ａ，４４Ｂ，４５Ａ，４５Ｂ，４６Ａ，４６Ｂ（発光素子）が設けられている。つまり、１つの押し釦１１〜１６に対し２つのＬＥＤ４１Ａ，４１Ｂ〜４６Ａ，４６Ｂが設けられている。タクトスイッチ３１〜３６及びＬＥＤ４１Ａ，４１Ｂ〜４６Ａ，４６Ｂは、これらが対向する押し釦１１〜１６の表示部を配線基板５上に垂直投影した場合に形成される影の領域内に存在している。
【００３９】
そして、押し釦１１〜１６を押すことで、押された押し釦１１〜１６に対向するＬＥＤ４１Ａ，４１Ｂ〜４６Ａ，４６Ｂが発光し、そのＬＥＤ４１Ａ，４１Ｂ〜４６Ａ，４６Ｂからの光により、対応する押し釦１１〜１６の表示部が照明される。また、子機が呼び出せば、その子機に対応する押し釦１１〜１６が、対応するＬＥＤ４１Ａ，４１Ｂ〜４６Ａ，４６Ｂの点灯により照明され、その押し釦１１〜１６を押せば子機と通話できるようになっている。
【００４０】
また、大きい押し釦１７に対しては、突条部１７ｅに対応してタクトスイッチ３７が左右両側に設けられ、それらの間に複数（本例では４つ）のＬＥＤ４７が配置され、押し釦１７を押すことで左右いずれかのタクトスイッチ３７がＯＮすると、ＬＥＤ４７が点灯して、表示部１７ａを照明するようになっている（図９参照）。
【００４１】
そして、補助枠２１の押圧部２３ａ〜２３ｆとＬＥＤ４１Ａ，４１Ｂ〜４６Ａ，４６Ｂとの位置関係は、基本的にいずれも同じであるので、代表して押圧部２３ｂとＬＥＤ４１Ａ，４１Ｂ〜４６Ａ，４６Ｂとの関係について説明する。
【００４２】
押圧部２３ｂは、図１０に示すように、２つのＬＥＤ４２Ａ，４２Ｂに対し、２つのＬＥＤ４２Ａ，４２Ｂからの光でもって、押し釦１２の表示部１２ａの全領域を、押圧部２３ｂの影を生じさせることなく、照明できる。このように照明できるのは、押し釦１２において、押し釦１２の表示部１２ａと押圧部２３ｂとの間の間隔Ｌが、ＬＥＤ４２Ａ，４２Ｂからの光で押し釦１２の表示部１２ａ全域を直接照明する長さ（大きさ）とされているからである。
【００４３】
つまり、２つのＬＥＤ４２Ａ，４２Ｂが、２つの領域Ｓ１，Ｓ２に分割される押し釦１１の表示部１１ａのそれぞれの照明を受け持つ構成とされ、補助枠２１の押圧部２３ａが、ＬＥＤ４２ＡとこのＬＥＤ４２Ｂが照明を受け持つ押し釦の表示部の領域Ｓ１，Ｓ２の周縁とをつなぐことで形成される空間の外部に配置されるようになっている。
【００４４】
上記のように構成すれば、押し釦１１〜１６を弾性アーム部２２ａ〜２２ｆの弾性に抗して押し付けると、所定のストロークを経た後、押圧部２３ａ〜２３ｆがタクトスイッチ３１〜３６に接触し、さらに押すことでタクトスイッチ３１〜３６がＯＮされる。つまり、各押し釦１１〜１６が押圧部２３ａ〜２３ｆを介してタクトスイッチ１１〜１６をＯＮすることになる。
【００４５】
これにより、ＯＮするのに要するストロークが０．２ｍｍ程度のタクトスイッチ１１〜１６を、必要なクリアランスを確保して確実にＯＮさせることができる。通常時はクリアランスがあるので、タクトスイッチ１１〜１６が誤動作でＯＮすることはなく、弾性アーム部２２ａ〜２２ｆの弾性で押し上げているので、押し釦１１〜１６がガタつくことはない。
【００４６】
また、タクトスイッチ１１〜１６の真上に位置する押圧部２３ａ〜２３ｆを介してＯＮするので、押し釦１１〜１６のいずれの位置を押圧しても、使用者はほぼ同じ感触でＯＮさせることができる。
【００４７】
さらに、タクトスイッチ１１〜１６がＯＮされると、ＬＥＤ４１Ａ，４１Ｂ〜４６Ａ，４６Ｂが点灯し、光を発する。このとき、タクトスイッチ１１〜１６の真上に押圧部２３ａ〜２３ｆが存在するが、押圧部２３ａ〜２３ｆは、押し釦１１〜１６の表示部に対し、前述したように、ＬＥＤ４１Ａ，４１Ｂ〜４６Ａ，４６Ｂからの光を遮光しない位置関係にあるので、押し釦１１〜１６の表示部に影を生じさせることはない。
【００４８】
前記実施の形態は、次のように変更することも可能である。
(i) 弾性アーム部２２ａ〜２２ｆは２本で押圧部２３ａ〜２３ｆを支持する構成としているが、弾性アーム部１本だけで押圧部を支持する構成とすることも可能である。
(ii) 発光素子は、１つの押し釦に対向して、必ずしも２つ設ける必要はなく、図１１に示すように、１つだけ設ける構成とすることも可能である。この場合は、ＬＥＤ４２’を設ける位置を高くすると共にＬＥＤ４２’を傾斜させることで、弾性アーム部２２ｂ’を介して仕切壁部２１Ｂに支持されタクトスイッチ３２’を押す押圧部２３ｂ’は、押し釦１２の表示部１２ａに対し、ＬＥＤ４２’（発光素子）からの光を遮光しない位置関係となるように構成されている。つまり、押し釦１２の表示部１２ａと押圧部２３ｂ’との間の間隔は、ＬＥＤ４２’からの直接光で押し釦１２の表示部１２ａ全域を照明する大きさとされているし、また、ＬＥＤ４２’が、前記押し釦の表示部に照明を受け持つ領域を有し、押し釦１２において、押圧部２３ｂ’が、ＬＥＤ４２’と照明を受け持つ押し釦１２の表示部１２ａの領域（図１１に示す場合はＬＥＤ４２’が１個であるので、表示部１２ａの全領域）の周縁とをつなぐことで形成される空間の外部に配置されている。
(iii) 必ずしも複数の押し釦を有するものに限らず、１つの押し釦を有する電子機器にも適用することができる。
【図面の簡単な説明】
【００４９】
【図１】本発明に係る電子機器の一実施の形態であるインターホンの親機を示す斜視図である。
【図２】（ａ）は同正面図、（ｂ）は同側面図、（ｃ）は同底面図である。
【図３】同分解斜視図である。
【図４】前側ケーシングを後側から見た、前側ケーシング、押し釦及び補助枠の関係を示す斜視図である。
【図５】（ａ）（ｂ）はそれぞれ小さい押し釦の斜視図である。
【図６】（ａ）（ｂ）はそれぞれ大きい押し釦の斜視図である。
【図７】（ａ）（ｂ）はそれぞれ補助枠の斜視図である。
【図８】図２（ａ）のＡ−Ａ線における断面図である。
【図９】図２（ａ）のＢ−Ｂ線における断面図である。
【図１０】ＬＥＤと補助枠の押圧部との関係を示す図である。
【図１１】変形例についてのＬＥＤと補助枠の押圧部との関係を示す図である。
【図１２】従来例の説明図である。
【図１３】別の従来例の説明図である。
【符号の説明】
【００５０】
１    インターホンの親機
２    機器ケーシング
３ａ〜３ｆ，３ｇ    支持スリーブ
５    配線基板
１１〜１６，１７    押し釦
１１ａ    表示部
１１ｇ    係合凹部
２１    補助枠
２１Ａ    外枠
２１Ｂ    仕切壁部
２２ａ〜２２ｆ，２２ｂ’    弾性アーム部
２３ａ〜２３ｆ，２３ｂ’    押圧部
３１〜３６    タクトスイッチ
４１Ａ，４１Ｂ〜４６Ａ，４６Ｂ，４２’    ＬＥＤ（発光素子）
【図１】
2006079940.tif 000003
【図２】
2006079940.tif 000004
【図３】
2006079940.tif 000005
【図４】
2006079940.tif 000006
【図５】
2006079940.tif 000007
【図６】
2006079940.tif 000008
【図７】
2006079940.tif 000009
【図８】
2006079940.tif 000010
【図９】
2006079940.tif 000011
【図１０】
2006079940.tif 000012
【図１１】
2006079940.tif 000013
【図１２】
2006079940.tif 000014
【図１３】
2006079940.tif 000015